(57)【特許請求の範囲】
【請求項１】
高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器に用いられる誤配線保護装置であって、
前記低圧用端子台に接続され、高い電圧だけを検知したときに検知信号を出力する電圧判定回路と、
前記第２のアクチュエータが接続される端子台に接続され、電圧を検知したときに電源接続信号を出力する電源接続判定回路を備え、
前記電圧判定回路からの検知信号を受けてすくなくとも前記第２のスイッチ手段の開放を維持させ、該電圧判定回路からの検知信号を受けないときは、前記電源接続判定回路からの電源接続信号を受けて前記第２のスイッチ手段の開放を維持させ、前記電源接続信号を受けないときは前記第１及び第２のスイッチ手段を閉成させる前記制御回路と
からなることを特徴とする誤配線保護装置。
【請求項２】
前記電圧判定回路は、低電圧用端子台に直列接続された電圧分圧するすくなくとも２つの抵抗と、分圧電圧が発生した抵抗の両端に並列接続された定電圧ダイオード及び電流検知素子の直列回路とからなることを特徴とする請求項１記載の誤配線保護装置。
【請求項３】
前記電源接続判定回路は、前記第２のアクチュエータが接続される端子台に直列接続された抵抗と電流検知素子とからなることを特徴とする請求項１記載の誤配線保護装置。
【請求項４】
高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器に用いられる誤配線保護装置であって、
前記低圧用端子台に接続され、高い電圧だけを検知したときに検知信号を出力する電圧判定回路と、
前記第２のアクチュエータが接続される端子台に接続され、電圧を検知したときに電源接続信号を出力する第１の電源接続判定回路と、
前記低圧用端子台に接続され、電圧を検知したときに電源接続信号を出力する第２の電源接続判定回路と、
前記電圧判定回路からの検知信号を受けてすくなくとも前記第２のスイッチ手段の開放を維持させ、該電圧判定回路からの検知信号を受けないときは、
前記第１の電源接続判定回路から電源接続信号を受けた場合は、すくなくとも前記第２のスイッチ手段の開放を維持させ、前記第１の電源接続判定回路から電源接続信号を受けず、且つ第２の電源接続判定回路から電源接続信号を受けたときに前記第１及び第２のスイッチ手段を閉成させる前記制御回路と
からなることを特徴とする誤配線保護装置。
【請求項５】
前記機器は表示手段を有し、前記制御回路に運転／停止の指令を出力するリモコンを備え、
前記制御回路は前記電圧判定回路からの検知信号を受けて前記第１及び第２のスイッチ手段の開放を維持させると共に前記リモコンの表示手段に誤配線の異常表示を行わせることを特徴とする請求項１又は２のいずれかに記載の誤配線保護装置。
【請求項６】
前記機器は表示手段を有し、前記制御回路に運転／停止の指令を出力するリモコンを備え、
前記制御回路は前記電源接続判定回路からの電源接続信号を受けてすくなくとも前記第２のスイッチ手段の開放を維持させると共に前記リモコンの表示手段に誤配線の異常表示を行わせることを特徴とする請求項１又は３のいずれかに記載の誤配線保護装置。
【請求項７】
前記機器は表示手段を有し、前記制御回路に運転／停止の指令を出力するリモコンを備え、
前記制御回路は前記第１の電源接続判定回路から電源接続信号を受け、且つ第２の電源接続判定回路から電源接続信号を受けなかったときにすくなくとも前記第２のスイッチ手段の開放を維持させると共に前記リモコンの表示手段に誤配線の異常表示を行わせることを特徴とする請求項４に記載の誤配線保護装置。
【請求項８】
前記第１のアクチュエータはヒータ、前記第２のアクチュエータは換気扇であることを特徴とする請求項１、２、３、４、５、６、７又は８のいずれかに記載の誤配線保護装置。
【請求項９】
前記請求項１から９に記載された誤配線保護装置を搭載した機器はバス乾燥ファンであることを特徴とする誤配線保護装置を搭載した機器。
【発明の詳細な説明】
【０００１】
【発明の属する技術分野】
本発明は例えばバス乾燥ファン等の機器、特に電圧の異なる２電源によりそれぞれ駆動されるアクチュエータを備えた機器に関するものである。
【０００２】
【従来の技術】
図７は例えば特開平４−１２７８３５号公報に記載された従来の誤接続保護回路の構成を示す回路図である。
図７において、２１６はトランス２０４の二次側端子２０４ｂの一方側に一端が接続され、所定電圧以上の電圧が印加されると電流が流れる電圧検出手段である定電圧ダイオードである。この定電圧ダイオード２１６の定電圧VzはAC100V電源が印加されたときにトランス２０４の二次側端子に現れた電圧Eに対して(√２)Ｅを越え、２(√２)Ｅ未満に電圧設定してある。
２１７は定電圧ダイオード２１６のアノードにアノードが接続されたダイオード、２１８はこのダイオード２１７を介して定電圧ダイオード２１６のアノードとトランス２０４の二次側端子２０４ｂの他端との間に接続され、定電圧ダイオード２１６からの電流を検出する電流検出手段である。
【０００３】
この電流検出手段２１８はフォトカプラによって構成され、フォトカプラを構成するダイオード２１８ａがダイオード２１７のカソードとトランス２０４の二次側端子２０４ｂの他端との間に接続され、フォトカプラを構成するトランジスタ２１８ｂがマイクロコンピュータ２０９の出力端と接地との間に接続されている。
２１９は電流検出手段２１８が電流を検出すると点灯する警報手段である発光ダイオードである。この発光ダイオード２１９のアノードが整流手段２０５の一方の直流端子に接続されると共にカソードがドライバ２２０を介してマイクロコンピュータ２０９の出力端に接続され、フォトカプラのトランジスタ２１８ｂのコレクタにも接続されているものである。
【０００４】
次に、従来の２電源の誤接続保護回路の動作について説明する。
まず、１００Ｖの商用電源が端子２０１ａ、２０１ｂに印加されると、トランス２０４の二次側端子２０４ｂには電圧Ｅが現れ、その波高値は(√２)であるから電圧検出手段である定電圧ダイオード２１６の定電圧値Vzより低く、定電圧ダイオード２１６には電流が流れず、電流検出手段２１８のダイオード２１８ａにも電流が流れず、トランジスタ２１８ｂはオフ状態である。その結果、警報手段である発光ダイオード２１９に電流が流れず、発光ダイオード２１９は消灯したままである。
【０００５】
また、施工者が誤って、２００Ｖ商用電源を電源端子２０１ａ，２０１ｂに印加してしまった場合は、トランス２０４の二次側端子２０４ｂ間には電圧２Ｅ、波高値２(√２)Ｅが現れる。そうすると、定電圧ダイオード２１６のカソードには定電圧Vz以上の電圧が印加されることになり、定電圧ダイオード２１６に電流が流れ、電流検出手段２１８のダイオード２１８ａにも電流が流れ、そのトランジスタ２１８ｂがオンする。それによって、警報手段である発光ダイオード２１９に電流が流れて発光することになる。
従って、施工者は電源端子２０１ａ，２０１ｂに２００Ｖ商用電源が誤って接続されたことを知ることができる。
また、この場合には機器の運転はマイクロコンピュータ２０９が開始しないようにしているので、機器損傷は生じない。
【０００６】
上記のような従来の誤接続保護回路は、機器の電源が１電源の時の誤配線対策を行うもので、本来はAC100V電源が印加されるべきところに、誤ってAC200V電源が接続されてしまう誤配線の対策を講じたものである。
しかしながら、トランス２０４については、２次側の電圧がAC100V入力時とAC200V入力時では２倍になるとして回路の構成を組んでおり、本質的にAC100V用に設計されたトランスは、一般的に入力130VAC位から、トランス２０４のコアが磁気飽和を起こし、それ以上の電圧を印加した場合に１次側の巻き線に過大電流が流れ、内部発熱し、巻き線の断線に至るという現象が発生する。
そこで、AC200Vでもトランス２０４が発熱せず機能を維持できるようにするためには、本来AC100Vの入力であるにも拘わらずAC200V用のトランスとして設計されなければならず、初期工事の保護のためだけにコアサイズを大きくするのは、コスト的にデメリットが大きいという問題点があった。
【０００７】
また、近年、家電機器の高容量化に伴い、AC200Vで動作する機器が増えてきている。今までは機器本体の電源が100VAC仕様であったバス乾燥ファンなどもヒータの高容量化に伴い本体電源がAC200V化に移行しつつある。
このバス乾燥ファンは、ヒータと循環ファンは本体内蔵で、換気用のファンを市販の換気扇とで組み合わせて製作される例が多く、汎用換気扇は従来どおりAC100V仕様のものが一般的で、据付時の配線工事に伴い、AC100VとAC200Vとが混在することになり、そのためのトラブルが想定される。
そこで、同一機器に２つの異なる電源を接続する場合、初期工事時に誤って AC100VとAC200V の電源を互い違いに配線したときに、その誤配線に気付き、誤配線による機器の損傷を防止することが要請される。
【０００８】
【発明が解決しようとする課題】
本発明はかかる問題点を解決するためになされたもので、同一機器に２つの異なる電源を接続する場合、初期工事時に誤ってAC100VとAC200Vの電源を互い違いに配線したときの誤配線に気付き、機器の損傷を防止することができる誤配線保護装置及び誤配線保護装置を搭載した機器を得ることを目的とする。
【０００９】
【課題を解決するための手段】
本発明に係る請求項１の誤配線保護装置は、高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器に用いられる誤配線保護装置であって、前記低圧用端子台に接続され、高い電圧だけを検知したときに検知信号を出力する電圧判定回路と、前記第２のアクチュエータが接続される端子台に接続され、電圧を検知したときに電源接続信号を出力する電源接続判定回路を備え、前記電圧判定回路からの検知信号を受けてすくなくとも前記第２のスイッチ手段の開放を維持させ、該電圧判定回路からの検知信号を受けないときは、前記電源接続判定回路からの電源接続信号を受けて前記第２のスイッチ手段の開放を維持させ、前記電源接続信号を受けないときは前記第１及び第２のスイッチ手段を閉成させる前記制御回路とからなるものである。
【００１０】
本発明に係る請求項２の誤配線保護装置は、前記電圧判定回路が低電圧用端子台に直列接続された電圧分圧するすくなくとも２つの抵抗と、分圧電圧が発生した抵抗の両端に並列接続された定電圧ダイオード及び電流検知素子の直列回路とからなるものである。
【００１１】
本発明に係る請求項３の誤配線保護装置は、前記電源接続判定回路が、前記第２のアクチュエータが接続される端子台に直列接続された抵抗と電流検知素子とからなるものである。
【００１２】
本発明に係る請求項４の誤配線保護装置は、高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器に用いられる誤配線保護装置であって、前記低圧用端子台に接続され、高い電圧だけを検知したときに検知信号を出力する電圧判定回路と、前記第２のアクチュエータが接続される端子台に接続され、電圧を検知したときに電源接続信号を出力する第１の電源接続判定回路と、前記低圧用端子台に接続され、電圧を検知したときに電源接続信号を出力する第２の電源接続判定回路と、前記電圧判定回路からの検知信号を受けてすくなくとも前記第２のスイッチ手段の開放を維持させ、該電圧判定回路からの検知信号を受けないときは、前記第１の電源接続判定回路から電源接続信号を受けた場合は、すくなくとも前記第２のスイッチ手段の開放を維持させ、前記第１の電源接続判定回路から電源接続信号を受けず、且つ第２の電源接続判定回路から電源接続信号を受けたときに前記第１及び第２のスイッチ手段を閉成させる前記制御回路とからなるものである。
【００１３】
本発明に係る請求項５の誤配線保護装置は、前記機器が表示手段を有し、前記制御回路に運転／停止の指令を出力するリモコンを備え、前記制御回路は前記電圧判定回路からの検知信号を受けて前記第１及び第２のスイッチ手段の開放を維持させると共に前記リモコンの表示手段に誤配線の異常表示を行わせるようにしている。
【００１４】
本発明に係る請求項６の誤配線保護装置は、前記機器が表示手段を有し、前記制御回路に運転／停止の指令を出力するリモコンを備え、前記制御回路は前記電源接続判定回路からの電源接続信号を受けてすくなくとも前記第２のスイッチ手段の開放を維持させると共に前記リモコンの表示手段に誤配線の異常表示を行わせるようにしている。
【００１５】
本発明に係る請求項７の誤配線保護装置は、前記機器が表示手段を有し、前記制御回路に運転／停止の指令を出力するリモコンを備え、前記制御回路は前記第１の電源接続判定回路から電源接続信号を受け、且つ第２の電源接続判定回路から電源接続信号を受けなかったときにすくなくとも前記第２のスイッチ手段の開放を維持させると共に前記リモコンの表示手段に誤配線の異常表示を行わせるようにしている。
【００１６】
本発明に係る請求項８の誤配線保護装置は、前記第１のアクチュエータがヒータ、前記第２のアクチュエータが換気扇としている。
【００１７】
本発明に係る請求項９の誤配線保護装置を搭載した機器は、バス乾燥ファンとしている。
【００１９】
【発明の実施の形態】
実施の形態１．
図１は本発明の実施の形態１のバス乾燥ファンに係る正常配線の回路図、図２は同バス乾燥ファンに係る誤配線パターン１の回路図、図３は同バス乾燥ファンに係る誤配線パターン２の回路図、図４は同バス乾燥ファンの動作を示すフローチャートである。
図において、１は電圧の異なる２電源を用いる家電機器であるバス乾燥ファンのバス乾燥ファン本体、２はバス乾燥ファン本体１を操作するためのリモコンで、その駆動源はバス乾燥ファン本体１から給電されるものとする。３はAC200V用電源、４はAC100V用電源、５はバス乾燥ファン本体１の外部に設置するAC100V用の換気扇である。
６はAC200V用電源３がブレーカ１７を介して接続されるAC200V接続用端子台、７はAC100V用電源４がブレーカ１を介して接続されるAC100V接続用端子台、８はAC100V用の換気扇５が接続される換気扇接続用端子台、９はバス乾燥ファン本体１内に設けられた循環ファン、１０はバス乾燥ファン本体１内に設けられたヒータである。
【００２０】
１１はAC200V接続用の端子台６と一対の接続線１２を介して接続され、交流を直流に変化して出力する電源回路で、端子台６に接続される電源がAC100VでもAC200Vでも後述の制御回路が動作する所定の電圧が得られるものとしている。１１ａは電源回路１１内のスイッチングトランス、１３は電源回路１１から直流電源が供給される制御回路である。
１４ａは制御回路１３によって制御される換気扇５への通電のオン・オフ制御を行う換気扇用リレーの操作コイル。１４ｂは換気扇用リレーの常開のツイン接点で、その一方の端子はAC100V接続用端子台７に接続され、他方の端子は換気扇接続用端子台８に接続されている。
【００２１】
１５ａは制御回路１３によって制御される循環ファン９への通電のオン・オフ制御を行う循環ファン用リレーの操作コイル、１５ｂは循環ファン用リレーの常開の接点で、循環ファン９と直列でAC200V接続用端子台６に接続されている。
１６ａは制御回路１３によって制御されるヒータ１０への通電のオン・オフ制御を行うヒータ用リレーの操作コイル、１６ｂはヒータ用リレーの常開の接点で、ヒータ１０と直列でAC200V接続用の端子台６に接続されている。
【００２２】
２０はAC100V接続用端子台７に入力側が接続され、AC200V用電源３とAC100V用電源４との判別を行う電圧判定回路、２１は換気扇接続用端子台８に入力側が接続され、電圧の有無を判定する電源接続判定回路、２２は電圧判定回路２０の出力側と制御回路１３とを接続する連絡線、２３は電源接続判定回路２１の出力側と制御回路１３とを接続する連絡線、２４はバス乾燥ファン本体１の制御回路１３とリモコン２とを結ぶ通信線である
【００２３】
電圧判定回路２０は、AC100V接続用端子台７に直列に接続されたダイオード１０１及び抵抗１０２、１０３と、抵抗１０３に並列接続された定電圧ダイオード１０４及び電流検知素子であるフォトカプラ１０５のホトダイオードの直列回路と、電源回路１１に接続されたフォトカプラ１０５のホトトランジスタ及び抵抗１０６の直列回路とで構成されている。
【００２４】
この電圧判定回路２０は、AC100V接続用端子台７にAC100V用電源４が接続されると、AC100V用電源４はダイオード１０１により、半波毎にダイオード１０１、抵抗器１０２、抵抗器１０３に電流が流れ、このとき抵抗器１０２，１０３で分圧される電圧が定電圧ダイオード１０４の定電圧電圧以下のため、定電圧ダイオード１０４に電流は分流されず、フォトカプラ１０５のホトダイオードにも電流が流れないため、フォトカプラ１０５のトランジスタはオフしたままであり、連絡線２２は電源回路１１の出力電圧と同じ電圧値(以下Ｈレベルと説明)を制御回路１３に伝達する。
【００２５】
ところが、AC100V接続用端子台７にAC200V用電源３が誤って接続されると、抵抗器１０２，１０３で分圧される電圧が定電圧ダイオード１０４の定電圧以上になるため、定電圧ダイオード１０４に電流が分流され、フォトカプラ１０５のホトダイオードに電流が流るため、フォトカプラ１０５のトランジスタはオンする。その結果 連絡線２２は半波毎にＨレベルと、回路グランドに近い電圧(以下Ｌレベルと説明)が繰り返されるパルス信号となり制御回路１３に伝達する。
【００２６】
電源接続判定回路２１は、換気扇接続用端子台８に直列に接続されたダイオード１０７、抵抗１０８及び電流検知素子であるフォトカプラ１０９のホトダイオードの直列回路と、電源回路１１に接続されたフォトカプラ１０９のホトトランジスタ及び抵抗１１０の直列回路とで構成されている。
この電源接続判定回路２１は、換気扇接続用端子台８に交流の電圧が発生すると半波毎にダイオード１０７、抵抗器１０８、フォトカプラ１０９のホトダイオードに電流が流れるため、フォトカプラ１０９のトランジスタはオンする。その結果、連絡線２３は半波毎にＨレベルとＬレベルが繰り返されるパルス信号となり制御回路１３に伝達する。
【００２７】
次に、本発明の実施の形態１のバス乾燥ファンの動作を図１〜図３及び図４のフローチャートに基づいて説明する。
なお、図２は図１に示す正常な回路図に対して、AC200V用電源３とAC100V用電源４が互い違いに配線された場合の誤配線パターン１を示し、図３は図２とは別の誤配線パターン２であり、換気扇接続用端子台８に対して本来であれば換気扇５だけを接続すべきところで、換気扇５と直列にAC100V接続用端子台７と接続されているAC100V電源４を接続した場合を示す。また、図４のフローチャートは換気扇５の運転動作に限定して記載したもので、リモコン２の操作による換気扇５の停止動作には言及していない。
【００２８】
端子台６と７に電源が接続され、端子台８にAC100V用の換気扇５が接続されてスタートとすると、制御回路１３ではリモコン２から換気扇５の運転指示があるかどうかを待っている。（ステップＳ１）。なお、このとき、運転指示がある前にブレーカ１７とブレーカ１８は既に投入されているものとする。
そして、リモコン２から換気扇５の運転指示があると、制御回路１３では電圧判定回路２０から端子台７にAC200V用電源３が印加されているかどうかの判定を行う（ステップＳ２）。
【００２９】
図１に示すように端子台７に正しくAC100V用電源４が接続されている場合には、電圧判定回路２０はAC200V用電源３が印加されているという判定信号を出力しないので、制御回路１３は端子台７にAC100V用の電源４が接続されていると判断してステップＳ３へ移行する。
また、図２に示すように端子台７にAC200V用電源３が接続されている場合には、電圧判定回路２０はAC200V用電源３が印加されているという判定信号を出力するので、制御回路１３は端子台７にAC200V用電源３が接続されていると判断して後述のステップＳ５へ移行する。
【００３０】
ステップＳ３では換気扇５への通電のオン・オフ制御を行う換気扇用リレーのツイン接点１４ｂが開放の条件（即ち、この条件の開放は換気扇５の運転開始時の開放と、運転開始後にステップＳ４にて換気扇用リレーのツイン接点１４ｂを閉成し、その後誤配線を検知してステップＳ６で換気扇用リレーのツイン接点１４ｂが開放させられている場合の開放であり、リモコン２の操作により運転が停止動作による開放を除く）として、制御回路１３は電源接続判定回路２１からのパルス信号があるかどうかによって端子台８にAC100V用電源４又はAC200V用電源３のいずれかの電源が印加されているかどうか判定する。
【００３１】
運転開始時は、換気扇用リレーのツイン接点１４ｂは開放の状態にあり、端子台８に電源が供給されるよう接続されていない場合は電源接続判定回路２１はパルス信号を出力しないから、制御回路１３は図１に示すように端子台８に換気扇５のみが接続されていると判断してステップＳ４へ移行する。
また、端子台８に電源が供給されるよう接続されている場合は電源接続判定回路２１はパルス信号を出力するから、制御回路１３は図３に示すように端子台８に換気扇５だけでなく、端子台７と接続されているAC100V用電源４が接続されていると判断して後述のステップＳ５へ移行する。
【００３２】
ステップＳ４では、制御回路１３は換気扇用リレーの操作コイル１４ａに通電し、ツイン接点１４ｂを閉成させ、端子台７に接続されたAC100V用電源４をツイン接点１４ｂを中継させて換気扇５へ給電させ、換気扇５の運転を開始させる。
この換気扇５の運転開始と同時に、制御回路１３は必要に応じて循環ファン用リレーの操作コイル１５ａ及びヒータ用リレーの操作コイル１６ａに通電し、接点１５ｂ及び１６ｂを閉成させ、端子台６に接続されたAC200V用電源３を接点１５ｂ及び１６ｂを中継させて循環ファン９及びヒータ１０へ給電させ、循環ファン９及びヒータ１０の運転を開始する。その後、ステップＳ１に戻る。
その後、同様のフロー処理となるが、ステップＳ３の判定においては今度は換気扇用リレーのツイン接点１４ｂが閉成されているため、電源接続判定回路１０からの電源接続信号が発生していてもステップＳ４へ移行する。
【００３３】
前述したように、端子台７にAC200V用電源３が誤って接続されているために電圧判定回路２０がAC200V用電源３が印加されているという判定信号を出力してステップＳ５に移行した場合や、端子台８に換気扇５だけでなく、端子台７と接続されているAC100V用電源４が接続されているために、電源接続判定回路２１が端子台８に電源が接続されているというパルス信号を出力してステップＳ５に移行した場合には、ステップＳ５では制御回路１３は端子台７にAC200V用電源３が接続されている又は端子台８に換気扇５だけでなく、電源が接続されているという誤配線の異常をリモコン２に伝送し、リモコン２は誤配線の異常を表示し、ステップＳ６へ移行する。
【００３４】
ステップＳ６では換気扇用リレ−のツイン接点１４ｂを開放させ、換気扇５の運転を停止させる。ただし、前記フロー上では換気扇用リレーのツイン接点１４ｂを閉成させていないため、ツイン接点１４ｂは開放が継続するだけとなる。その後、ステップＳ１へ戻る。
なお、図１が示す正しい配線で、AC100V接続用端子台７にAC100V用電源４が印加された後にAC200V接続用端子台６にAC200V用電源３が印加されても制御回路１３はAC200V用電源３が印加された後で動作するので、図４に示すフローチャートが動作するタイミングではAC100V用電源４、AC200V用電源３の両方の電源が印加されている、すなわちブレーカ１７とブレーカ１８は既に投入されている条件で動作する。
【００３５】
また、前述した図２に示す誤配線パターン１では、リモコン２の運転指示があった時にブレーカ１７とブレーカ１８は既に投入されているものとして説明したが、端子台６へのブレーカ１７の投入によるAC100V用の電源４の印加後に端子台７へブレーカ１８の投入によるAC200V用電源３が印加される可能性もある。
この場合は、図４における処理フローで、AC200V用電源３のブレーカ１８が投入されないときは換気扇５の運転開始になっても正常配線時のときと同じフローで処理され、ツイン接点１４ｂが閉じても換気扇用端子台８に電圧が発生しない状態となるが、AC200V用電源３が端子台７に入力された時点で、ステップ２において電圧判定回路２０が動作し、ステップ５へ移行する。
また、換気扇５にはステップ６にて換気扇用リレーのツイン接点１４ｂを開放するまでの短時間はAC200V用電源３が印加されることになるが、短時間の印加であれば一般的に換気扇５が故障することはない。
【００３６】
逆に、後からブレーカ１７の投入によりAC100V用電源４がAC200V接続用端子台６に印加された場合は、先にブレーカ１８の投入によりAC100V接続用端子台７に入力されたAC200V用電源３によって制御回路１３が動作しないため換気扇用リレーは動作せず、そのリレーのツイン接点１４ｂが開放のままであり、機器は停止状態であり、機器の損傷は発生しない。
【００３７】
さらに、図３に示す誤配線パターン２においては、リモコン２の運転指示があった時にブレーカ１７とブレーカ１８は既に投入されている場合は、前述のステップＳ３において換気扇５の運転開始前、即ち換気扇用リレーのツイン接点１４ｂが開放時に電源接続判定回路２１が動作し、ステップ５へ移行する。
但し、ブレーカ１７が投入されて端子台６にAC200V用電源３の印加後に、リモコン２から換気扇５の運転指示があり、その後からブレーカ１８が投入されて端子台７にAC100V用電源４が印加された場合は、換気扇用リレーのツイン接点１４ｂが閉成しているため、端子台７のAC100V用の電源４と端子台８のAC100V用電源４とが内部短絡を起こし、機器はその内部短絡により発生する損傷に対する保護が機能しない事態が生じる。
かかる事態に対しては図５及び図６の本発明の実施の形態２で対処している。
【００３８】
以上説明したように、本発明の実施の形態１によれば、AC200V接続用端子台６とAC100V接続用端子台７に、AC200V用電源３とAC100V用電源４が互い違いに誤って接続され、リモコン２から換気扇５の運転指令がある前にブレーカ１７、１８が投入された場合と、リモコン２から換気扇５の運転指令がある前にブレーカ１７が投入され、後からブレーカ１８が投入された場合は、端子台７に接続された電圧判定回路２０が端子台７にAC200V用電源３が接続されたことの判定信号（即ち、２００Ｖ電源入力信号）を制御回路１３に出力し、制御回路１３はリモコン２へ誤配線異常を通信線２４を介してリモコン２に伝送し、リモコン２は誤配線異常を表示すると共に、制御回路１３は端子台７と換気扇５が接続されている換気扇接続用端子台８との間を接続するツイン接点１４ｂを駆動する換気扇用リレーの操作コイル１４ａへ通電をしないようにしてツイン接点１４ｂを開放のままとして換気扇５の運転を停止するようにしたので、機器は停止状態であり、機器の損傷は発生しない。
【００３９】
また、AC200V接続用端子台６とAC100V接続用端子台７に、AC200V用電源３とAC100V用電源４がそれぞれ正しく接続され、換気扇接続用端子台８に換気扇５とAC100V用電源４が誤って接続され、リモコン２から換気扇５の運転指令がある前にブレーカ１７、１８が投入された場合、端子台８に接続された電源接続判定回路２１が端子台８にAC100V用電源４が接続されたことの電源接続信号を制御回路１３に出力し、制御回路１３はリモコン２へ誤配線の異常を通信線２４を介してリモコン２に伝送し、リモコン２は誤配線の異常を表示すると共に、制御回路１３は端子台７と換気扇５が接続されている換気扇接続用端子台８との間を接続するツイン接点１４ｂを駆動する換気扇用リレーの操作コイル１４ａへ通電をしないようにしてツイン接点１４ｂを開放のままとして換気扇５を無通電状態とするようにしたので、機器は停止状態であり、機器の損傷は発生しない。
さらに、電圧判定回路２０は、低電圧用端子台であるAC100V接続用端子台７に直列接続された電圧分圧する２つの抵抗１０２、１０３と、分圧電圧が発生した抵抗１０３の両端に並列接続された定電圧ダイオード１０４及び電流検知素子であるフォトカプラ１０５の直列回路とからなり、トランスを介することなく電圧の判定を供給１次電源の電圧から検知しているので、低コストで信頼性の高い電圧判定回路を得ることができる。
また、電源接続判定回路２１は、換気扇接続用端子台８に直列に接続された抵抗１０８及び電流検知素子であるフォトカプラ１０９とからなり、トランスを介することなく電圧の判定を供給１次電源の電圧から検知しているので、低コストで信頼性の高い電源接続判定回路を得ることができる。
なお、この実施の形態１では、異なる２電源の例としてAC200V用電源３とAC100V用電源４を用いているが、異なる２電源として一方の電源が他方の電源に比べて電圧が高ければよく、電圧値に限定されるものではないことは勿論である。
【００４０】
実施の形態２．
図５は本発明の実施の形態２のバス乾燥ファンに係る誤配線パターンの回路図、図６は同バス乾燥ファンの動作を示すフローチャートである。
図５において、図１〜図３と同じ構成は同一符号を符号を付して重複した構成の説明を省略する。
この実施の形態２では、AC100V用電源４のAC100V接続用端子台７に対して、実施の形態１の電源接続判定回路２０と同じものを接続し、換気扇接続用端子台８側に接続した電源接続判定回路を第１の電源接続判定回路２１ａとし、端子台７側に接続した電源接続判定回路を第２の電源接続判定回路２１ｂとし、それぞれ制御回路１３と接続する結線を２３ａ、２３ｂとしたものである。
なお、図５は図３と同様に換気扇接続用端子台８に対して本来であれば換気扇５だけを接続すべきところで、換気扇５と直列にAC100Vの電源を接続した場合を示す。
【００４１】
次に、本発明の実施の形態２のバス乾燥ファンの動作を図５及び図６のフローチャートに基づいて説明する。
スタートしてから、ステップＳ１からステップＳ３は本発明の実施の形態１と同様であるので、その動作の説明は省略する。
また、以下の動作説明は運転指示がある前にブレーカ１７とブレーカ１８は既に投入されているものとして説明する。
ステップＳ３で、制御回路１３は第１の電源接続判定回路２０ａからのパルス信号があるかどうかによって換気扇用端子台８にAC100V用電源４が印加されているかどうかを判定する。
運転開始時はリレー１４の接点１４ｂは開放の状態にあり、端子台８に電源が供給されるよう接続されていない場合は第１の電源接続判定回路２１ａはパルス信号を出力しないから、制御回路１３は図１に示すように端子台８に換気扇５のみが接続されていると判断してステップＳ７へ移行する。
なお、端子台８に電源が供給されるよう接続されている場合は第１の電源接続判定回路２１ａはパルス信号を出力するから、制御回路１３は図５に示すように端子台８に換気扇５だけでなく、端子台７と接続されているAC100V用電源４が接続されていると判断して後述のステップＳ５へ移行する。
【００４２】
ステップＳ７では、端子台７にAC100V用電源４がブレーカ１８を介して接続されていてステップＳ３でＮＯの判定となった場合に、第２の電源接続判定回路２１ｂはパルス信号を出力するから、図４と同様にステップＳ４に移行する。
ステップＳ４では、制御回路１３は換気扇用リレーの操作コイル１４ａに通電し、ツイン接点１４ｂを閉成させ、端子台７に接続されたAC100V用電源４をツイン接点１４ｂ経由で換気扇５へ給電させ、換気扇５の運転を開始させる。この換気扇５の運転開始と同時に必要に応じて循環ファン９及びヒータ１０の運転も開始する。その後、ステップＳ１に戻る。
【００４３】
運転指示があった時の状態が、ブレーカ１７が閉でブレーカ１８が開の場合はステップＳ３はＮＯの判定となり、ステップＳ７に移行するが、端子台７に接続されている第２の電源接続判定回路２１ｂにおいて端子台７にAC100V用電源４が印加されていないため電源接続信号が発生しない。このため、ステップＳ５へ移行し、制御回路１３はツイン接点１４ｂを開放のままとする。ツイン接点１４ｂはそれ以前に閉成していることがないので機器は保護される。
逆に、ブレーカ１７が開でブレーカ１８が閉の場合、すなわち後からAC200V用電源３が端子台６に印加された場合は、先に端子台７に入力されたAC100V用電源４だけでは制御回路１３が動作しないため、機器は停止状態であり、機器の損傷は発生しない。
【００４４】
以上説明したように、本発明の実施の形態２によれば、AC200V接続用端子台６とAC100V接続用端子台７に、AC200V用電源３とAC100V用電源４がそれぞれ正しく接続され、換気扇接続用端子台８に換気扇５とAC100V用電源４が誤って接続され、端子台６にAC200V用電源３が印加され、それからリモコン２から換気扇５の運転指令があり、さらにAC100V用電源４が後から端子台７に印加された場合、端子台７に接続された第２の電源接続判定回路２１ｂが端子台８にAC100V用電源４が接続されたことの電源接続信号を制御回路１３に出力しないので、制御回路１３はリモコン２へ誤配線の異常を通信線２４を介してリモコン２に伝送し、リモコン２は誤配線の異常を表示すると共に、制御回路１３は端子台７と換気扇５が接続されている換気扇接続用端子台８との間を接続するツイン接点１４ｂを駆動する換気扇用リレーの操作コイル１４ａへ通電をしないようにしてツイン接点１４ｂを開放のままとし、換気扇５を無通電状態とするようにしたので、機器は停止状態であり、機器の損傷は発生しない。
【００４５】
【発明の効果】
以上説明したとおり、本発明によれば、高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器において、高圧用端子台と低圧用端子台に高い電圧の電源と低い電圧の電源が互い違いに誤って接続された場合、低圧用端子台に接続された電圧判定回路が低圧用端子台に高い電圧の電源が接続されたことの検知信号を制御回路に出力し、制御回路はすくなくとも第２のスイッチ手段の開放を維持して第２のアクチュエータの動作を停止するようにしたので、第２のアクチュエータは無通電状態であり、機器の損傷は発生せず、また高圧用端子台と低圧用端子台に高い電圧の電源と低い電圧の電源がそれぞれ正しく接続され、第２のアクチュエータに低い電圧の電源が直列に接続された場合には第２のアクチュエータに接続された電源接続判定回路が第２のアクチュエータに低い電圧の電源が接続されたことの電源接続信号を制御回路に出力し、制御回路はすくなくとも第２のスイッチ手段の開放を維持して第２のアクチュエータにを無通電の状態にするようにしたので、機器は停止状態であり、機器の損傷は発生しないという効果がある。
【００４７】
また、別の本発明によれば、高い電圧の電源が接続される高圧用端子台と、高圧用端子台に接続され、交流を直流電圧に変換して出力する電源回路と、低い電圧の電源が接続される低圧用端子台と、高圧用端子台に常開の第１のスイッチ手段を介して接続される第１のアクチュエータと、第２のアクチュエータが接続される端子台と、該端子台と低圧用端子台との間に設けられた常開の第２のスイッチ手段と、電源回路から受電し、第１及び第２のスイッチ手段を開閉制御する制御回路とを備えた機器において、高圧用端子台と低圧用端子台に高い電圧の電源と低い電圧の電源が互い違いに誤って接続された場合、低圧用端子台に接続された電圧判定回路が低圧用端子台に高い電圧の電源が接続されたことの検知信号を制御回路に出力し、制御回路はすくなくとも第２のスイッチ手段の開放を維持して第２のアクチュエータの動作を停止するようにしたので、第２のアクチュエータは無通電状態であり、機器の損傷は発生せず、また高圧用端子台と低圧用端子台に高い電圧の電源と低い電圧の電源がそれぞれ正しく接続され、第２のアクチュエータに低い電圧の電源が直列に接続された場合には、第２のアクチュエータに接続された第１の電源接続判定回路が第２のアクチュエータに低い電圧の電源が直列に接続されたことの電源接続信号を制御回路に出力すると共に低電圧用端子台に接続された第２の電源接続判定回路が低電圧用端子台に低い電圧の電源が接続されたことの電源接続信号を制御回路に出力し、制御回路はすくなくとも第２のスイッチ手段の開放を維持して第２のアクチュエータを無通電の状態にするようにしたので、機器は停止状態であり、機器の損傷は発生しないという効果がある。
また、第２のスイッチ手段の閉成前の開放は制御回路が第１の電源接続判定回路からの電源接続信号を受け、且つ第２の電源接続判定回路からの電源接続信号を受けないことが条件となるため、低い電圧の電源が運転開始後に印加されたとしても、低圧用端子台に接続された低い電圧の電源が短絡になる誤配線から機器を保護することができる。
【００４８】
また、本発明によれば、機器は表示手段を有し、運転／停止の指令を出力するリモコンを備え、制御回路は電圧判定回路からの検知信号を受けて第１及び第２のスイッチ手段の開放を維持させると共に、リモコンの表示手段に誤配線の異常表示を行わせるようにしたいので、施工者に対して、誤配線を早期に伝え、初期工事のリカバリーを迅速に行うことができるという効果がある。
【００４９】
また、本発明によれば、機器は表示手段を有し、運転／停止の指令を出力するリモコンを備え、制御回路は電源接続判定回路からの電源接続信号を受けてすくなくとも第２のスイッチ手段の開放を維持させると共に、リモコンの表示手段に誤配線の異常表示を行わせるようにしたいので、施工者に対して、誤配線を早期に伝え、初期工事のリカバリーを迅速に行うことができるという効果がある。
【００５０】
さらに、本発明によれば、機器は表示手段を有し、運転／停止の指令を出力するリモコンを備え、制御回路は第１の電源接続判定回路からの電源接続信号を受け、且つ第２の電源接続判定回路から電源接続信号を受けなかったときにすくなくとも第２のスイッチ手段の開放を維持させると共に、リモコンの表示手段に誤配線の異常表示を行わせるようにしたいので、施工者に対して、誤配線を早期に伝え、初期工事のリカバリーを迅速に行うことができるという効果がある。
【００５１】
また、本発明によれば、第１のアクチュエータはヒータ、第２のアクチュエータは換気扇であり、機器はバス乾燥ファンとしたものである。
【００５２】
さらに、本発明によれば、誤配線保護装置を搭載した機器はバス乾燥ファンであり、バス乾燥ファン側から外部の換気扇に対して低い電圧の電源を中継して供給する場合に、誤配線により機器に損傷を与えない。
【図面の簡単な説明】
【図１】  本発明の実施の形態１のバス乾燥ファンに係る正常配線の回路図である。
【図２】  同バス乾燥ファンに係る誤配線パターン１の回路図である。
【図３】  同バス乾燥ファンに係る誤配線パターン２の回路図である。
【図４】  同バス乾燥ファンの動作を示すフローチャートである。
【図５】  本発明の実施の形態２のバス乾燥ファンに係る誤配線パターンの回路図である。
【図６】  同バス乾燥ファンの動作を示すフローチャートである。
【図７】  従来の誤配線保護回路の構成をを示す回路図である。
【符号の説明】
１  バス乾燥ファン本体、２  リモコン、３  AC200V用電源、４  AC100V用電源、５  AC100V用の換気扇、６  AC200V接続用端子台、７  AC100V接続用端子台、８  換気扇接続用端子台、９  循環ファン、１０  ヒータ、１１  電源回路、１２  接続線、１３  制御回路、１４ａ  換気扇用リレーの操作コイル、１４ｂツイン接点、１５ａ  循環ファン用リレーの操作コイル、１５ｂ  接点、１６ａ  ヒータ用リレーの操作コイル、１６ｂ  接点、２０  電圧判定回路、２１  電源接続判定回路。
【図１】
0003855159.tif 000002
【図２】
0003855159.tif 000003
【図３】
0003855159.tif 000004
【図４】
0003855159.tif 000005
【図５】
0003855159.tif 000006
【図６】
0003855159.tif 000007
【図７】
0003855159.tif 000008